(57)【要約】      （修正有）【課題】壊れ難く且つ長期間安定して形を保持でき、安価に製造できる鞄を提供する。【解決手段】鞄は、正面側に位置する第１の部材１１と、背面側に位置する第２の部材２１とで収容空間３１を形成している。鞄本体は、第１の部材１１及び第２の部材２１を有している。第１の部材１１は、背面側から正面側に曲げられ、収容空間３１の背面側と底面側を覆っている。第２の部材２１は、収容空間３１の正面側から右側面側及び左側面側を覆っている。また、第１の部材１１の第１の縁部以外の第３の縁部と、第２の部材２１の第２の縁部以外の第４の縁部とは接合部が接合され、これにより収容空間３１が形成されている。第１の部材１１及び第２の部材２１は、例えば、それぞれ２層構造であり、中央が皮部材、両側は非皮部材である。【選択図】図５
0003231768.tif 000002
【実用新案登録請求の範囲】
【請求項１】
背面側から正面側に曲げられ、収容空間の背面側と底面側を覆い、1枚の皮部材を用いて構成された第１の部材と、
前記収容空間の正面側から右側面側及び左側面側を覆い、１枚の皮部材を用いて構成された第２の部材と
を備えた鞄本体を有し、
前記第１の部材の第１の縁部と前記第２の部材の第２の縁部とで前記収容空間の開口部が形成されており、
前記第１の部材の前記第１の縁部以外の第３の縁部と、前記第２の部材の前記第２の縁部以外の第４の縁部とを接合して鞄の外形及び前記収容空間を形成する接合部を有する
鞄。
【請求項２】
前記第１の部材及び前記第２の部材は、それぞれ２層構造であり、内側部材が皮部材、外側部材が皮部材又は非皮部材である
請求項１に記載の鞄。
【請求項３】
前記接合部は、前記第１の部材及び前記第２の部材の前記内側部材及び前記外側部材の双方を貫通した接合部材で構成される
請求項２に記載の鞄。
【請求項４】
前記第２の部材は、前記第１の部材に比べて堅牢度が高い
請求項1〜３のいずれかに記載の鞄。
【請求項５】
前記第１の部材及び前記第２の部材の前記皮部材は、当該皮部材を構成する繊維が前記鞄の縦方向に延びるように配置さている
請求項１〜４のいずれかに記載の鞄。
【請求項６】
前記第１の部材の前記皮部材は、動物の背中部又はその周辺部位の皮であり、
前記第２の部材の前記皮部材は、動物の背中部の皮である
請求項１〜５のいずれかに記載の鞄。
【請求項７】
前記鞄本体は、略左右対称であり、
側面視において、前記接合部が略Ｌ字型である
請求項１〜６のいずれかに記載の鞄。
【請求項８】
糸縫いにより、前記接合がなされている
請求項１〜７のいずれかに記載の鞄。
【考案の詳細な説明】
【技術分野】
【０００１】
本考案は、壊れ難く且つ安定して形を保持でき、安価に製造できる鞄に関するものである。
【背景技術】
【０００２】
正面部材、背面部材及び底面部材からなる鞄がある。
このような鞄では、正面部と底面部との間、並びに底面部と側面部との間が、糸縫い等により接合されている。
また、従来の鞄では、内生地は外側部材の内側に部分的に留められているだけで、鞄の外形形成には一切寄与していない。
【考案の概要】
【考案が解決しようとする課題】
【０００３】
しかしながら、上述した従来の鞄の構造であると、少なくとも正面部と底面部との間、並びに底面部と側面部との間での接合工程が必要であるが、このような手間のかかる接合工程を減らし、安価に製造したいという要請がある。
【０００４】
本考案はかかる事情に鑑みてなされたものであり、その目的は、壊れ難く且つ長期間安定して形を保持でき、安価に製造できる鞄を提供することにある。
【課題を解決するための手段】
【０００５】
上述した従来技術の問題点を解決し、上述した問題を解決するために、本考案の鞄は、背面側から正面側に曲げられ、収容空間の背面側と底面側を覆い、1枚の皮部材を用いて構成された第１の部材と、前記収容空間の正面側から右側面側及び左側面側を覆い、１枚の皮部材を用いて構成された第２の部材とを備えた鞄本体を有し、前記第１の部材の第１の縁部と前記第２の部材の第２の縁部とで前記収容空間の開口部が形成されており、前記第１の部材の前記第１の縁部以外の第３の縁部と、前記第２の部材の前記第２の縁部以外の第４の縁部とを接合して鞄の外形及び前記収容空間を形成する接合部を有する。
【０００６】
好適には、前記第１の部材及び前記第２の部材は、それぞれ２層構造であり、内側部材が皮部材、外側部材が皮部材又は非皮部材である。
【０００７】
好適には、前記接合部は、前記第１の部材及び前記第２の部材の前記内側部材及び前記外側部材の双方を貫通した接合部材で構成される。
好適には、前記第２の部材は、前記第１の部材に比べて堅牢度が高い。
【０００８】
好適には、前記第１の部材及び前記第２の部材の前記皮部材は、当該皮部材を構成する繊維が前記鞄の縦方向に延びるように配置さている。
【０００９】
好適には、前記第１の部材の前記皮部材は、動物の背中部又はその周辺部位の皮であり、前記第２の部材の前記皮部材は、動物の背中部の皮である。
【００１０】
好適には、前記鞄本体は、略左右対称であり、側面視において、前記接合部が略Ｌ字型である。
【００１１】
好適には、糸縫いにより、前記接合がなされている。
【考案の効果】
【００１２】
本考案によれば、壊れ難く且つ長期間安定して形を保持でき、安価に製造できる鞄を提供することができる。
【図面の簡単な説明】
【００１３】
【図１】図１は、本考案の実施形態の鞄の正面図である。
【図２】図２は、図１に示す鞄の左側面図である。
【図３】図３は、図１に示す鞄の背面図である。
【図４】図４は、図１に示す鞄の底面図である。
【図５】図５は、図１に示す鞄の平面図である。
【図６】図６は、図１に示す鞄の皮部材の構造を説明するための図である。
【図７】図７は、本考案の実施形態に係る鞄の製造方法を説明するためのフロチャートである。
【図８】図８は、本考案の実施形態の変形例に係る鞄を説明するための図である。
【考案を実施するための形態】
【００１４】
以下、本考案の実施形態に係る鞄について説明する。
図１は、本考案の実施形態の鞄１の正面図である。図２は、図１に示す鞄１の左側面図である。図３は、図１に示す鞄１の背面図である。
【００１５】
図４は、図１に示す鞄１の底面図である。図５は、図１に示す鞄１の平面図である。図６は、図１に示す鞄１の皮部材の構造を説明するための図である。
【００１６】
図１〜図５に示すように、鞄１は、例えば、正面側に位置する第１の部材１１と、背面側に位置する第２の部材２１とで収容空間３１を形成している。
【００１７】
鞄本体３は、第１の部材１１及び第２の部材２１を有している。
第１の部材１１は、背面側から正面側に曲げられ、収容空間３１の背面側と底面側を覆っている。
第２の部材２１は、収容空間３１の正面側から右側面側及び左側面側を覆っている。
【００１８】
第１の部材１１及び第２の部材２１は、１枚の皮部材を用いて構成されている。
【００１９】
図５に示すように、第１の部材１１の第１の縁部１３と、第２の部材２１の第２の縁部２３とで収容空間３１の開口部３３が形成されている。
また、第１の部材１１の前記第１の縁部１３以外の第３の縁部１５と、第２の部材２１の第２の縁部２３以外の第４の縁部２５とは接合部４１が接合され、これにより鞄１の外形及び収容空間３１が形成されている。
接合部４１は、第１の部材１１及び第２の部材２１の内側部材及び外側部材の双方を貫通した接合部材で構成される。
接合部４１の接合部材は、例えば糸縫いによる。
このように接合部４１によって鞄１の外形及び収容空間３１を形成したことで、長期間使用しても形が崩れ難くできる。
【００２０】
図１及び図３に示すように、鞄１は、略左右対称である。
また、図２に示すように、側面視において、接合部４１は略Ｌ字型である。
【００２１】
鞄１では、第２の部材２１は、第１の部材１１に比べて堅牢度が高い。これにより、長期に渡っての形状維持が可能、長年使用した中での形状崩れが起きにくい現象という効果がある。
また、第２の部材２１は、第１の部材１１に比べて繊密度が高い。これにより、長期間商品として維持、使用が可能となり、使用中も形状崩れが起きにくくなっている、また無理な使用頻度があっても素材が引き裂かれるなどの現象は著しく起きにくくなっているという効果がある。
また、第１の部材１１及び第２の部材２１の皮部材は、当該皮部材を構成する繊維が鞄１の縦方向に延びるように配置さている。これにより、長年使用する中での形状変化の中で横に間延びしてしまうなどの構造欠陥に繋がる経年変化が起きにくくなっている。特に図６にあるように両サイドシンメトリに形状維持されているのもこの繊維構造と活かしたもののよるもの、従って長年使用してもこの形状も維持できるという効果がある。
【００２２】
第１の部材１１及び第２の部材２１は、例えば、それぞれ図６に示すように２層構造であり、内側部材が皮部材、外側部材が皮部材又は非皮部材である
非皮部材は、例えば 、ダブル発砲によって成形したＰＶＣ素材である。このような２構造にすることで、皮と同等の硬さ、柔軟性を発揮するという効果がある。また、このことは皮を１から作ることを当たり前とする馬具屋ならではの発想から設計、組み上げられた２層構造によるものが故、２つの素材がお互いに支え合うという構造と実現したもの。
【００２３】
また、第１の部材１１の皮部材は、動物の背中部又はその周辺部位の皮である。
また、第２の部材２１の皮部材は、動物の背中部の皮である
【００２４】
鞄１は、背負いベルト７１，７３と、手提げベルト８１とを備えている。
図２に示すように、第１の部材１１の一方の側面側の開口部３３付近には、背負いベルト７１の一端が固定されている。背負いベルト７１の他端は、図３に示すように第２の部材２１に固定されている。
また、第１の部材１１の他方の側面面側の開口部３３付近には、背負いベルト７３の一端が固定されている。背負いベルト７３の他端は、図３に示すように第２の部材２１に固定されている。
【００２５】
また、図3に示すように、第１の部材１１の開口部３３付近には、手提げベルト８１が固定されている。
【００２６】
以下、鞄１の製造方法について説明する。
図７は、本考案の実施形態に係る鞄の製造方法を説明するためのフロチャートである。
ステップＳＴ１：
図６に示す２槽構造の第１の部材１１及び第２の部材２１をそれぞれ成形する。このとき、、それぞれ２層構造であり、内側部材が皮部材、外側部材が皮部材又は非皮部材となるように、第１の部材１１及び第２の部材２１を成形する。
【００２７】
ステップＳＴ２：
ステップＳＴ２で成形した第１の部材１１と第２の部材２１とを、鞄１の外形及び収容空間３１を形成するように接合部４１の形状に合わせて位置決めする。
どこに動物の背中にあたる素材を位置するか、またどこに動物の脇腹部分を位置するか、予め皮をその形状に裁断する際、予め設計しておくこと。
このことにより、結果図６のシンメトリデザインが生まれる。シンメトリデザインはあくまで内装に設計している皮の潜在能力を利用する。
【００２８】
ステップＳＴ３：
ステップＳＴ２で位置決めした状態で、鞄１の外形が形成されるように、第１の部材１１及び第２の部材２１の双方を接合部材で貫通させて接合部を形成する。具体的には、糸縫いをする。
【００２９】
ステップＳＴ４：
背負いベルト７１，７３及び手提げベルト８１を取り付ける。
【００３０】
以上説明したように、鞄１の鞄本体３は、第１の部材１１と第２の部材２１とで構成し、これらを接合部４１のみで接合してため、接合工程を従来より少なくでき、短時間且つ感化に製造できる。
また、鞄本体３は、図２に示すように、側面視において、接合部４１は略Ｌ字型としたことで、十分な広さの収容空間３１を確保できる。
【００３１】
また、鞄本体３は、第１の部材１１及び第２の部材２１の内側部材及び外側部材の双方を貫通した接合部材で接合部４１を形成することで、鞄１の外形及び収容空間３１を形成したことで、長期間使用しても形が崩れ難くできる。
また、鞄１では、第２の部材２１を第１の部材１１に比べて堅牢度を高くしたことで、長期に渡っての形状維持が可能、長年使用した中での形状崩れが起きにくくできる。
【００３２】
また、鞄１では、第２の部材２１を第１の部材１１に比べて繊密度を高くしたことで、長期間商品として維持、使用が可能となり、使用中も形状崩れが起きにくくなっている、また無理な使用頻度があっても素材が引き裂かれるなどの現象は著しく起きにくい。
【００３３】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【００３４】
例えば、上述した鞄１の形状は一例であり、例えば、図８に示すような形状でもよい。
【産業上の利用可能性】
【００３５】
本考案は、鞄に適用可能である。
【符号の説明】
【００３６】
１…鞄
１１…第１の部材
１３…第１の縁部
１５…第３の縁部
２１…第２の部材
２３…第２の縁部
２５…第４の縁部
３１…収容空間
４１…接合部
７１，７３…背負いベルト
８１…手提げベルト
【図１】
0003231768.tif 000003
【図２】
0003231768.tif 000004
【図３】
0003231768.tif 000005
【図４】
0003231768.tif 000006
【図５】
0003231768.tif 000007
【図６】
0003231768.tif 000008
【図７】
0003231768.tif 000009
【図８】
0003231768.tif 000010